(57)【要約】【課題】  電気掃除機の低い消費電力でありながらカーペット等においても優れた塵埃の除去性能を有する吸込ヘッド及び電気掃除機を提供する。【解決手段】  本発明の吸込ヘッドは、被清掃面Ｇに対向する底部と、底部に開口する吸込開口部１０と、電気掃除機本体側に接続する継手と、吸込開口部と継手とを連通する吸込室と、を有する吸込ヘッドである。吸込開口部１０を上面として被清掃面Ｇから上面３２へ垂直に延びる側壁３６と上面３２と対向する被清掃面Ｇに形成された底面３６とからなる仮想立体形状３０の側壁３６の面積が１４０ｍｍ2〜８００ｍｍ2である。被清掃面Ｇと底部２０との隙間は、０．３ｍｍ〜１．５ｍｍであることができる。【選択図】図７
2015070949.tif 000002
【特許請求の範囲】
【請求項１】
被清掃面に対向する底部と、
底部に開口する吸込開口部と、
電気掃除機本体側に接続する継手と、
吸込開口部と継手とを連通する吸込室と、
を有する吸込ヘッドであって、
前記吸込開口部を上面として被清掃面から該上面へ垂直に延びる側壁と該上面と対向する被清掃面に形成された底面とからなる仮想立体形状の該側壁の面積が１４０ｍｍ2〜８００ｍｍ2であることを特徴とする、吸込ヘッド。
【請求項２】
請求項１において、
被清掃面と前記底部２０との隙間は、０．３ｍｍ〜１．５ｍｍであることを特徴とする、吸込ヘッド。
【請求項３】
請求項１または２において、
被清掃面と前記底部との隙間は、０．５ｍｍ〜１．５ｍｍであり、
前記仮想立体形状の側壁の面積が２４０ｍｍ2〜７５０ｍｍ2であることを特徴とする、吸込ヘッド。
【請求項４】
請求項３において、
前記吸込室は、前記吸込開口部から上方へ立上る壁部を有し、
壁部は、前記吸込ヘッドの幅方向両端側に側壁部を有し、
側壁部は、所定の幅と高さで切り欠いた吸込溝を有し、
前記隙間面積は、前記吸込溝で切り欠かれた面積を含むことを特徴とする、吸込ヘッド。
【請求項５】
請求項３または４において、
前記仮想立体形状の側壁の面積に対する前記継手の後端部の開口面積の比が０．７〜２．３であることを特徴とする、吸込ヘッド。
【請求項６】
電動送風機を有する電気掃除機本体と、
前記電気掃除機本体に接続された筒状の吸引管と、
前記吸引管の先端に接続された請求項１〜５のいずれか１項に記載の吸込ヘッドと、
を具備したことを特徴とする、電気掃除機。
【発明の詳細な説明】
【技術分野】
【０００１】
本発明は、被清掃面の塵埃を吸引して除去する電気掃除機に使用する吸込ヘッド及びその吸込ヘッドを備えた電気掃除機に関する。
【背景技術】
【０００２】
近年、カーペットやじゅうたん（以下カーペット等という）における塵埃を十分に除去するための電気掃除機及びその吸込ヘッドが提案されている（例えば、特許文献１参照）。
【０００３】
このような電気掃除機によれば、カーペット等において塵埃を十分に除去するために、電気掃除機本体における真空度を高めることによる吸引仕事率の向上を目的とした電動送風機の大出力化と、吸込ヘッドにおけるダストピックアップ率の向上を目的とした回転ブラシの採用が行われている。
【０００４】
しかしながら、電動送風機の大出力化は、電気掃除機の消費電力を増大することになり、また、騒音が大きくなるという弊害がある。また、回転ブラシの採用は、回転ブラシを駆動するためのモータによる消費電力及び騒音の増大、吸込ヘッドの大型化及び重量増加が問題となる。
【０００５】
特に近年の家電製品に対する省電力化の要請は強く、電気掃除機においても消費電力を抑えながらカーペット等においても十分に塵埃を除去することが要求されている。
【先行技術文献】
【特許文献】
【０００６】
【特許文献１】特開２０１２−２４４９７号公報
【発明の概要】
【発明が解決しようとする課題】
【０００７】
そこで、本発明の目的は、低い消費電力の電気掃除機を用いてもカーペット等においても優れた塵埃の除去性能を有する吸込ヘッド及び電気掃除機を提供することにある。
【課題を解決するための手段】
【０００８】
［適用例１］
本適用例に係る吸込ヘッドは、
被清掃面に対向する底部と、
底部に開口する吸込開口部と、
電気掃除機本体側に接続する継手と、
吸込開口部と継手とを連通する吸込室と、
を有する吸込ヘッドであって、
前記吸込開口部を上面として被清掃面から該上面へ垂直に延びる側壁と該上面と対向する被清掃面に形成された底面とからなる仮想立体形状の該側壁の面積が１４０ｍｍ2〜８００ｍｍ2であることを特徴とする。
【０００９】
本適用例によれば、床面がカーペット等である場合に優れたダストピックアップ率を達成することができる。
【００１０】
［適用例２］
上述の吸込ヘッドにおいて、
被清掃面と前記底部２０との隙間は、０．３ｍｍ〜１．５ｍｍであることができる。
【００１１】
本適用例によれば、床面がカーペット等である場合に優れたダストピックアップ率を達成することができる。
【００１２】
［適用例３］
上述の吸込ヘッドにおいて、
被清掃面と前記底部との隙間は、０．５ｍｍ〜１．５ｍｍであり、
前記仮想立体形状の前記側壁の面積が２４０ｍｍ2〜７５０ｍｍ2であることができる。
【００１３】
本適用例によれば、床面がカーペット等である場合に優れたダストピックアップ率を達成することができると共に、カーペット等の清掃時にも吸込ヘッドの摺動性に優れる。
【００１４】
［適用例４］
上述の吸込ヘッドにおいて、
前記吸込室は、前記吸込開口部から上方へ立上る壁部を有し、
壁部は、前記吸込ヘッドの幅方向両端側に側壁部を有し、
側壁部は、所定の幅と高さで切り欠いた吸込溝を有し、
前記隙間面積は、前記吸込溝で切り欠かれた面積を含むことができる。
【００１５】
本適用例によれば、幅方向両端側においても効率よく塵埃を除去することができる。
【００１６】
［適用例５］
上述の吸込ヘッドにおいて、
前記仮想立体形状の側壁の面積に対する前記継手の後端部の開口面積の比が０．７〜２．３であることができる。
【００１７】
本適用例によれば、床面がカーペット等である場合に優れたダストピックアップ率を達成することができる。
【００１８】
［適用例６］
本適用例に係る電気掃除機は、
電動送風機を有する電気掃除機本体と、
前記電気掃除機本体に接続された筒状の吸引管と、
前記吸引管の先端に接続された上記いずれかの吸込ヘッドと、
を具備したことを特徴とする。
【００１９】
本適用例によれば、床面がカーペット等である場合に優れたダストピックアップ率を達成することができる。
【発明の効果】
【００２０】
本発明にかかる吸込ヘッドによれば、床面がカーペット等である場合に優れたダストピックアップ率を達成することができる。
【００２１】
また、本発明にかかる電気掃除機によれば、床面がカーペット等である場合に優れたダストピックアップ率を達成することができる。
【図面の簡単な説明】
【００２２】
【図１】本発明の一実施形態にかかる電気掃除機の斜視図である。
【図２】本発明の一実施形態にかかる吸込ヘッドの平面図である。
【図３】本発明の一実施形態にかかる吸込ヘッドの底面図である。
【図４】本発明の一実施形態にかかる吸込ヘッドの正面図である。
【図５】図２におけるＡ−Ａ断面図である。
【図６】図２におけるＢ−Ｂ断面図である。
【図７】仮想立体形状を模式的に示す斜視図である。
【図８】本発明の他の実施形態にかかる電気掃除機の斜視図である。
【図９】隙間とダストピックアップ率との関係を示すグラフである。
【図１０】吸込仕事率とダストピックアップ率との関係を示すグラフである。
【発明を実施するための形態】
【００２３】
以下、本発明の実施の形態について図面を参照しながら詳細に説明する。
【００２４】
本発明の一実施の形態にかかる吸込ヘッドは、被清掃面に対向する底部と、底部に開口する吸込開口部と、電気掃除機本体側に接続する継手と、吸込開口部と継手とを連通する吸込室と、を有する吸込ヘッドであって、前記吸込開口部を上面として被清掃面から該上面へ垂直に延びる側壁と該上面と対向する被清掃面に形成された底面とからなる仮想立体形状の該側壁の面積が１４０ｍｍ2〜８００ｍｍ2であることを特徴とする。
【００２５】
また、本発明の一実施の形態にかかる電気掃除機は、電動送風機を有する電気掃除機本体と、前記電気掃除機本体に接続された筒状の吸引管と、前記吸引管の先端に接続された前記吸込ヘッドと、を具備したことを特徴とする。
【００２６】
図１は、本発明の一実施形態にかかる電気掃除機７０の斜視図である。図２は、本発明の一実施形態にかかる吸込ヘッド１の平面図である。図３は、本発明の一実施形態にかかる吸込ヘッド１の底面図である。図４は、本発明の一実施形態にかかる吸込ヘッド１の正面図である。図５は、図２におけるＡ−Ａ断面図である。図６は、図２におけるＢ−Ｂ断面図である。
【００２７】
図１に示すように、本発明の一実施の形態にかかる電気掃除機７０は、図示しない電動送風機を有する電気掃除機本体７１と、電気掃除機本体７１に接続された筒状の吸引管７５と、吸引管７５の先端に接続された吸込ヘッド１と、を具備したことを特徴とする。吸込ヘッド１は、電気掃除機７０に吸引管７５としての蛇腹状のホース７２及び剛性のある合成樹脂製の延長管７３を介して接続される。延長管７３の前端には吸込ヘッド１が接続し、延長管７３の後端はハンドル７４を有すると共にホース７２の前端が接続される。ホース７２は、その後端に剛性のある合成樹脂製の接続部７６が設けられ、接続部７６が電気掃除機本体７１に接続する。
【００２８】
ホース７２および延長管７３は内部が中空の筒状になっており、電気掃除機本体７１の内部に配置されている図示しない電動送風機によって内部の空気が吸気、排出されることにより負圧がかかることで吸込ヘッド１及び吸引管７５内に吸込気流を発生させることができる。
【００２９】
ハンドル７４には図示しない操作スイッチが設けられ、例えば、電動送風機の電源のＯＮとＯＦＦ及び吸引力の強弱の切り替えなどの操作が可能である。使用者は、ハンドル７４を把持して吸引管７５及び吸込ヘッド１を被清掃面に対して移動し、操作することができる。
【００３０】
図２及び図３に示すように、吸込ヘッド１は、吸込ヘッド１の幅方向に延びる上カバー１ａ及び下カバー１ｂと、図１に示す電気掃除機本体７１の延長管７３と連結される継手
４と、を有し、平面視形状が略Ｔ字状をなしている。なお、本明細書において、上下方向は吸込ヘッド１で被清掃面を掃除する状態における床面側を下として説明し、前後方向は延長管７３に連通する継手４のある側を後方として説明し、幅方向は前後方向及び上下方向に直交する方向として説明する。
【００３１】
下カバー１ｂは、合成樹脂製であって、上下に貫通する貫通孔を有する略長方形の枠状である。下カバー１ｂの下面は、吸込ヘッド１の底部２０である。下カバー１ｂの貫通孔の底部２０側の開口が吸込開口部１０である。
【００３２】
上カバー１ａは、合成樹脂製であって、下カバー１ｂの貫通孔を上方から覆う蓋のように載置して固定されている。上カバー１ａの上面は、吸込ヘッド１の上壁部２である。上カバー１ａの幅方向の中央部には、上壁部２から取付部３に延びかつ上方に突出した突出部２ａが形成されている。
【００３３】
継手４は、合成樹脂製であって、吸込ヘッド１の幅方向の中央部であってかつ後方に突出する取付部３において上カバー１ａと下カバー１ｂとに挟み込まれるように取り付けられている。継手４は、取付部３に対して継手４の縦軸を中心に回転可能である。
【００３４】
図３に示すように、吸込ヘッド１は、被清掃面である例えば床面（以下、被清掃面は単に「床面」という）に対向する底部２０と、底部２０に開口する吸込開口部１０と、底部２０の前方に２つの前車輪６ａと、取付部３の後端に２つの後車輪６ｂと、を有する。吸込ヘッド１の内側には、吸込開口部１０と継手４とを連通する吸込室２１が形成される。
【００３５】
吸込開口部１０は、吸込ヘッド１の幅方向の全体に渡って形成され、吸込ヘッド１の全幅に吸引力を生じさせることができる。吸込開口部１０は、吸込ヘッド１の前側の前縁１０ａと、吸込ヘッド１の幅方向両端側の側方縁１０ｂ、１０ｂと、吸込ヘッド１の後側の後縁１０ｃと、を有し、これらが連結して環状の開口を形成する。吸込開口部１０は、吸込ヘッド１の中心部分において前後方向に広く、吸込ヘッド１の幅方向両端部分において中心部分よりも前後方向に狭い。
【００３６】
前縁１０ａは、吸込ヘッド１の前側両端付近に配置された前車輪６ａ，６ａを避けて形成されている。後縁１０ｃは、吸込ヘッド１の幅方向に直線状に延びて形成されている。側方縁１０ｂ、１０ｂは、前縁１０ａと後縁１０ｃとを接続する部分であって、前縁１０ａ及び後縁１０ｃに比べて短い。側方縁１０ｂ、１０ｂは、後縁１０ｃ寄りに吸込溝２２を有する。吸込溝２２については、図５及び図６を用いて後述するが、側方縁１０ｂ、１０ｂに吸込溝２２が形成されることで吸込開口部１０が吸込ヘッド１の両端側及び上方へわずかに広がる。
【００３７】
底部２０は、吸込ヘッド１の下面に吸込開口部１０を囲むように形成され、床面に対向する。底部２０は、吸込ヘッド１の前側の前端部２０ａと、吸込ヘッド１の幅方向両端側の側方部２０ｂ，２０ｂと、吸込ヘッド１の後側の後端部２０ｃと、を有する。前端部２０ａ、側方部２０ｂ，２０ｂ及び後端部２０ｃにおける吸込開口部１０に臨む部分がそれぞれ前縁１０ａ、側方縁１０ｂ、１０ｂ及び後縁１０ｃである。
【００３８】
前車輪６ａ，６ａは、前端部２０ａの幅方向の両端付近に回転自在に取り付けられ、吸込ヘッド１の前後方向に転がることができる。後車輪６ｂ，６ｂは、取付部３の後ろ端に回転自在に取り付けられ、前車輪６ａ，６ａと同様に吸込ヘッド１の前後方向に転がることができる。
【００３９】
後端部２０ｃは、起毛部２３をさらに有することができる。起毛部２３は、後端部２０
ｃの幅方向の中央付近において、後端部２０ｃから床面側へ短く起毛した合成繊維である。起毛部２３は、リントブラシのような塵埃を吸着する静電気除去機能があるものでもよい。起毛部２３の幅方向長さは、２０ｍｍ〜４０ｍｍであることができ、さらに２５ｍｍ〜３５ｍｍであることができる。後端部２０ｃの幅方向の中央付近は、各車輪６ａ，６ｂから最も離れた位置にあり、しかも清掃時には継手４によって負荷のかかりやすい取付部３の近くにである。そのため、ここに起毛部２３を設けることによって、底部２０と床面との隙間が小さい吸込ヘッド１であっても、底部２０が変形して後端部２０ｃの中央付近が直接床面に接触することはない。したがって、起毛部２３は、後端部２０ｃが床面に接触することによる床面の傷つき防止機能を有する。なお、起毛部２３は、他の図には示していない。
【００４０】
図４に示すように、吸込ヘッド１は、清掃時において、前車輪６ａ，６ａ及び後車輪６ｂ，６ｂが床面Ｇに接地する。床面Ｇと底部２０との間には、隙間Ｈを有する。隙間Ｈは、０．３ｍｍ〜１．５ｍｍであることができ、さらに０．５ｍｍ〜１．５ｍｍであることができ、特に０．５ｍｍ〜１．０ｍｍであることができる。吸込仕事率が一定であれば、隙間Ｈを小さくすることによってダストピックアップ率を向上させることができる。
【００４１】
吸込仕事率は、電気掃除機における空気を吸い込む能力を表す指標で、空気力学的動力曲線の最大値である。吸込仕事率は、吸込ヘッドを外した状態で測定されるため、吸込ヘッドの性能は考慮されない。吸込仕事率は、ＪＩＳ  Ｃ  ９１０８付属書Ａ「吸込仕事率の測定方法」によって測定し、下記式で算出する。
【００４２】
吸込仕事率Ａ（Ｗ）＝０．０１６６６×風量Ｑ（ｍ3／ｍｉｎ）×真空度ｈs（Ｐａ）
ダストピックアップ率は、国際電気標準会議が定めた規格ＩＥＣ  ６０３１２を元に作製したＪＩＳ  Ｃ  ９８０２「家庭用電気掃除機の性能測定方法」によって測定することができ、電気掃除機におけるゴミを吸い込む能力を表す。ＪＩＳ  Ｃ  ９８０２における測定の方法は、６種類あるが、本実施の形態においてダストピックアップ率（％）は、「じゅうたんからのじんあい除去」に従って測定する。「じゅうたんからのじんあい除去」の測定方法は、じゅうたんの床面に撒かれたゴミを一定の速度・動作・回数（５往復とする）で吸引し、除去されたゴミの量をパーセントで計測するものである。
【００４３】
図５及び図６に示すように、吸込ヘッド１の内側に形成された吸込室２１は、吸込開口部１０と継手４とを連通する空間である。吸込室２１は、吸込開口部１０から上方へ立上る壁部２４を有する。壁部２４は、下カバー１ｂの下側壁部２５と下側壁部２５と接続する上カバー１ａの上側壁部２６によって構成される。吸込室２１は、上壁部２と壁部２４の内壁面によって形成される。壁部２４は、吸込開口部１０の前縁１０ａから上方へ立上る第１前壁部２４ａ及び第２前壁部２４ｄと、吸込開口部１０の側方縁１０ｂから上方へ立上る側壁部２４ｂと、吸込開口部１０の後縁１０ｃから後方へ水平に延びた後に上方へ緩やかに湾曲する後壁部２４ｃと、を有する。
【００４４】
吸込室２１の継手４側には取付部３の内側に形成された後壁開口部１２があり、吸込開口部１０から吸い込んだ空気は吸込室２１を経て後壁開口部１２から継手４へと導くことができる。後壁開口部１２は、取付部３に形成された上カバー１ａの上開口部１２ａと、取付部３に形成された下カバー１ｂの下開口部１２ｂと、が接続して略円形に形成される。
【００４５】
壁部２４は、吸込ヘッド１の幅方向両端側に側壁部２４ｂ，２４ｂを有する。側壁部２４ｂ、２４ｂは、板状体である。
【００４６】
側壁部２４ｂ，２４ｂは、下端が吸込開口部１０に向けて吸込ヘッド１の内側に湾曲す
る下端部を有することができる。
【００４７】
側壁部２４ｂは、所定の幅と高さで切り欠いた吸込溝２２を有する。吸込溝２２は、図５及び図６によく表れており、隙間Ｈよりも床面Ｇとの間隔が大きくなるため、吸込ヘッド１の幅方向両端側から中央へ向けての空気の流れを生成する。
【００４８】
図６に示すように、吸込室２１は吸込ヘッド１の幅の全体にわたって形成され、吸込室２１の下方には吸込開口部１０が開口し、吸込室２１の中央後方には後壁開口部１２が開口する。上壁部２は、吸込室２１を形成する内側の面が突出部２ａを除いてほぼ平坦であり、床面Ｇと平行である。下カバー１ｂの底部２０は、特に床面Ｇと対向する側が吸込溝２２を除いてほぼ平坦であり、床面Ｇに対してわずかな隙間Ｈを隔てて平行である。
【００４９】
図７は、仮想立体形状を模式的に示す斜視図である。
【００５０】
図７に示すように、床面Ｇと底部２０との隙間Ｈに仮想立体形状３０があると考えて説明する。仮想立体形状３０は、吸込開口部１０を上面３２として、被清掃面である床面Ｇから吸込開口部１０へ垂直に延びる側壁３６と、上面３２に対向する床面Ｇに形成された底面３４と、から仮想的に形成される。なお、図７において隙間Ｈは、側壁３６を説明しやすくするために、図４〜図６における隙間Ｈに比べて高くしているが、隙間Ｈが図４〜図６と同様にわずかな距離であることに変わりはない。
【００５１】
仮想立体形状３０の上面３２は、吸込開口部１０の開口であり、吸込開口部１０の前縁１０ａと、側方縁１０ｂ、１０ｂと、後縁１０ｃとに囲まれた平坦な面である。側方縁１０ｂ、１０ｂには、吸込溝２２，２２が上方に突出して形成される。
【００５２】
仮想立体形状３０の底面３４は、床面Ｇ上に上面３２を投影した形状である。そして、上面３２は、底面３４の周縁から上方へ垂直に延びる側壁３６の上端に形成される。側壁３６の高さは、隙間Ｈと同じ高さである
仮想立体形状３０の側壁３６は、前縁１０ａから床面Ｇに向かって延びる前側壁３６ａと、側方縁１０ｂ、１０ｂから床面Ｇに向かって延びる横側壁３６ｂ、３６ｂと、後縁１０ｃから床面Ｇに向かって延びる後側壁３６ｃと、から構成される。横側壁３６ｂ、３６ｂは、吸込溝２２，２２によって上方に突出するように形成された部分の面積を含む。
【００５３】
側壁３６の面積は、床面Ｇと吸込ヘッド１との隙間Ｈに形成された実質的な開口面積であるといえる。つまり、側壁３６の面積は、吸込ヘッド１を床面Ｇに置いて清掃する場合における吸込ヘッド１の実質的な開口面積である。したがって、側壁３６の面積を所定範囲に設定することによって、優れたダストピックアップ率を有する吸込ヘッド１を得ることができる。
【００５４】
仮想立体形状の側壁３６の面積は、１４０ｍｍ2〜８００ｍｍ2である。側壁３６の面積を１４０ｍｍ2〜８００ｍｍ2とすることによって、床面がカーペット等である場合に優れたダストピックアップ率を達成することができる。
【００５５】
側壁３６の面積が１４０ｍｍ2〜８００ｍｍ2であるとき、床面Ｇと底部２０との隙間Ｈは、０．３ｍｍ〜１．５ｍｍであることができる。
【００５６】
また、例えば、床面Ｇと底部２０との隙間Ｈが０．５ｍｍ〜１．５ｍｍであるとき、仮想立体形状３０の側壁３６の面積が２４０ｍｍ2〜７５０ｍｍ2であることができる。このような吸込ヘッド１によれば、床面Ｇがカーペット等である場合に優れたダストピックアップ率を達成することができると共に、カーペット等の清掃時にも吸込ヘッド１の摺動性
に優れる。さらに、このような吸込ヘッド１において、仮想立体形状３０の側壁３６の面積に対する継手４の後端部の開口面積の比が０．７〜２．３であることができる。吸込ヘッド１を管体であると捉えたときに、入り口である側壁３６の面積に対して、出口である継手４の後端部の開口面積が大きいほど吸込開口部１０における風速が速くなり、結果としてダストピックアップ率も向上する。
【００５７】
底部２０には、前車輪６ａ及び後車輪６ｂ以外に床面Ｇに向かって突出するものが存在しないことが望ましい。例えば、吸込開口部１０の後方にゴム製のシートを底部から突出するように設けて特に硬い床に対するダストピックアップ率を向上することができるが、このようなゴム製のシートはカーペット等の上での摺動性を阻害するため、別途カーペット等用の吸込ヘッドを用意しなければならず、本実施の形態の吸込ヘッド１に採用することは好ましくない。また、例えば、吸込開口部１０の周囲に短く起毛した合成樹脂製のブラシ（いわゆるリントブラシ）を下方に突出するように設けて塵埃を吸着させる技術もあるが、カーペット等の上での摺動性を阻害するため、本実施の形態の吸込ヘッド１に採用することは好ましくない。さらに、例えば、吸込開口部１０内に回転するブラシを設けることによって塵埃を掻き上げてダストピックアップ率を向上させる技術が一般的であるが、消費電力や騒音の増加などの問題があり、本実施の形態の吸込ヘッド１に採用することは好ましくない。
【００５８】
本実施の形態にかかる吸込ヘッド１によれば、床面Ｇがカーペット等である場合に優れたダストピックアップ率を達成することができる。また、本実施の形態にかかる電気掃除機７０によれば、床面Ｇがカーペット等である場合に優れたダストピックアップ率を達成することができる。
【００５９】
本実施の形態にかかる吸込ヘッド１は、図１に示すキャニスター型の電気掃除機７０の中でも特にバッテリー駆動による電気掃除機に有利である。バッテリー駆動による電気掃除機は、バッテリーに蓄積された電力によりできるだけ長時間清掃することが求められるため、低消費電力でも高い塵埃除去を達成する必要がある。本実施の形態にかかる吸込ヘッド１を用いることによって、低い吸込仕事率すなわち低い消費電力であっても高いダストピックアップ率を達成することができるため、バッテリー駆動による電気掃除機において有利となる。
【００６０】
以上のように、本実施の形態において、電気掃除機７０は、電気掃除機本体７１に車輪が設けられたいわゆるキャニスター型の電気掃除機７０として説明したが、図９に示すような使用者が電気掃除機本体７１ａを把持して片手で操作するいわゆるスティック型の電気掃除機７０ａであってもよい。
【００６１】
図８は、本発明の他の実施形態にかかる電気掃除機の斜視図である。
【００６２】
図８に示すスティック型の電気掃除機７０ａは、図示しない電動送風機を有する電気掃除機本体７１ａと、電気掃除機本体７１ａに接続された筒状の吸引管７５ａと、吸引管７５ａの先端に接続された吸込ヘッド１と、を具備している。吸引管７５ａは、内部が中空の筒状で剛性のある合成樹脂製である。電気掃除機本体７１ａの内部に配置されている図示しない電動送風機によって内部の空気が吸気、排出されることにより負圧がかかることで吸込ヘッド１及び吸引管７５ａ内に吸込気流を発生させることができる。
【００６３】
ハンドル７４ａには操作スイッチが設けられ、例えば、電動送風機の電源のＯＮとＯＦＦ及び吸引力の強弱の切り替えなどの操作が可能である。電気掃除機本体７１ａの内部には、図示しないバッテリーを有することができる。使用者は、ハンドル７４ａを把持して電気掃除機７０ａを持ち運ぶことができると共に、吸込ヘッド１を被清掃面に対して移動
し、操作することができる。
【００６４】
本実施の形態にかかる吸込ヘッド１は、このようなスティック型の電気掃除機７０ａの中でも特にバッテリー駆動による電気掃除機に有利である。スティック型の電気掃除機７０ａにおいては、キャニスター型の電気掃除機に比べてバッテリーも小型化せざるを得ないため、より効率の良い吸込ヘッド１が求められることになる。したがって、本実施の形態にかかる吸込ヘッド１をスティック型の電気掃除機７０ａに用いることによって、低い消費電力であっても高いダストピックアップ率を達成することができるため、有利である。
【００６５】
なお、上記のように本発明の実施の形態について詳細に説明したが、本発明の新規事項及び効果から実体的に逸脱しない多くの変形が可能であることは当業者には容易に理解できよう。
【実施例】
【００６６】
上記実施の形態において説明した吸込ヘッドを市販されている電気掃除機に取り付けて、底部と床面との隙間Ｈを０．５ｍｍ、１．５ｍｍ、２．５ｍｍと変えて、ＪＩＳ  Ｃ  ９８０２における「溝がある硬い床面からのじんあい除去」に従ってダストピックアップ率（％）を測定した。「溝がある硬い床面からのじんあい除去」の測定方法において、溝がある硬い床面に撒かれたゴミに対し、吸込ヘッドを５往復して吸引し、除去されたゴミの量をパーセントで計測した。測定の結果は、図９に示した。
【００６７】
図９は、横軸を吸込ヘッドの底部と床面との隙間Ｈ、縦軸を「溝がある硬い床面からのじんあい除去」におけるダストピックアップ率である。丸い点で示したグラフは消費電力１２０Ｗのスティック型の電気掃除機に取り付けたときのダストピックアップ率であり、四角い点で示したグラフは消費電力８０Ｗのスティック型の電気掃除機に取り付けたときのダストピックアップ率である。
【００６８】
図９によれば、隙間Ｈを０．５ｍｍと１．５ｍｍに設定した吸込ヘッドにおいて、９０％以上のダストピックアップ率を示した。なお、図９には示していないが、さらに低い吸込仕事率の電気掃除機に吸込ヘッドを取り付けた場合、０．５ｍｍの隙間Ｈではほとんど変化がなかったが、１．５ｍｍの隙間Ｈになるとダストピックアップ率が低下する傾向が見られた。
【００６９】
このとき、吸込ヘッドにおける仮想立体形状の側壁の面積は、隙間Ｈが０．５ｍｍのとき２４７．５ｍｍ2であり、隙間Ｈが１．５ｍｍのとき７４２．５ｍｍ2であり、隙間Ｈが２．５ｍｍのとき１２３７．５ｍｍ2であった。吸込ヘッドの側壁部に形成された吸込溝の面積は、側壁の面積に含んで計算した。また、継手の後端部の開口面積は約５３１ｍｍ2であり、仮想立体形状の側壁の面積に対する継手の後端部の開口面積の比は、隙間Ｈが０．５ｍｍのとき２．１５であり、隙間Ｈが１ｍｍのとき１．０７であり、隙間Ｈが１．５ｍｍのとき０．７２であった。
【００７０】
上記実施の形態において説明した吸込ヘッドを市販されている複数の電気掃除機に取り付けて、ＪＩＳ  Ｃ  ９８０２における「じゅうたんからのじんあい除去」に従ってダストピックアップ率（％）を測定した。「じゅうたんからのじんあい除去」の測定方法において、じゅうたんの床面に撒かれたゴミに対し、吸込ヘッドを５往復して吸引し、除去されたゴミの量をパーセントで計測した。測定の結果は、実施例１〜４として表１及び図１０に示した。
【００７１】
このとき、吸込ヘッドの隙間Ｈは１ｍｍであり、仮想立体形状の側壁の面積は４９５ｍ
ｍ2であった。
【００７２】
また、市販されている他社製の電気掃除機のダストピックアップ率を測定した。測定に用いた全ての他社製の電気掃除機には、吸込ヘッドに回転するブラシがあった。測定の結果は、参考例１〜９として表１及び図１０に示した。
【００７３】
各電気掃除機の吸込ヘッドの仮想立体形状の側壁の面積については、１４０ｍｍ2〜８００ｍｍ2範囲内であれば「有」、範囲外であれば「無」として表１の「側壁の面積」の欄に示した。なお、実施例１〜４の仮想立体形状の側壁の面積は４９５ｍｍ2であり、参考例１〜９の仮想立体形状の側壁の面積は２４００ｍｍ2以上であった。
【００７４】
また、図１０における横軸は実験に用いた市販の電気掃除機の吸込仕事率（Ｗ）、縦軸はダストピックアップ率／吸込仕事率（％／Ｗ）とした。吸込仕事率は電気掃除機本体の能力を示す指標であり、ダストピックアップ率も吸込仕事率が高くなれば高くなる傾向にある。ダストピックアップ率／吸込仕事率（％／Ｗ）を求めることで、吸込ヘッドの能力を判断することができる。ダストピックアップ率／吸込仕事率（％／Ｗ）は、表１におけるＢ／Ａ（％）である。図１０において、実施例１〜４はＥ１〜Ｅ４で表示し、参考例１〜９はＲ１〜Ｒ９で表示した。
【００７５】
【表１】
2015070949.tif 000003
【００７６】
表１に示す通り、実施例１〜４の吸込ヘッドを備えた電気掃除機は、単位吸込仕事率あたりのダストピックアップ率が参考例１〜９の電気掃除機よりも、優れていた。
【００７７】
さらに、参考例９の電気掃除機を用いて、回転ブラシを駆動した場合と停止した場合におけるダストピックアップ率を測定したところ、ダストピックアップ率が約１０％程度低下した。
【００７８】
以上、本実施形態あるいは変形例について説明したが、本発明はこれら本実施形態あるいは変形例に限られるものではなく、その要旨を逸脱しない範囲において種々の態様で実施することが可能である。
【００７９】
本発明は、実施形態で説明した構成と実質的に同一の構成（例えば、機能、方法及び結
果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００８０】
１  吸込ヘッド、１ａ  上カバー、１ｂ  下カバー、２  上壁部、２ａ  突出部、３  取付部、４  継手、６ａ  前車輪、６ｂ  後車輪、１０  吸込開口部、１０ａ  前縁、１０ｂ  側方縁、１０ｃ  後縁、１２  後壁開口部、１２ａ  上開口部、１２ｂ  下開口部、２０  底部、２０ａ  前端部、２０ｂ  側方部、２０ｃ  後端部、２１  吸込室、２２  吸込溝、２３  起毛部、２４  壁部、２４ａ  第１前壁部、２４ｂ  側壁部、２４ｃ  後壁部、２４ｄ  第２前壁部、２５  下側壁部、２６  上側壁部、３０  仮想立体形状、３２  上面、３４  底面、３６  側壁、  ３６ａ  前側壁、３６ｂ  横側壁、３６ｃ  後側壁、７０  電気掃除機、７０ａ  電気掃除機、７１  電気掃除機本体、７１ａ  電気掃除機本体、７２  ホース、７３  延長管、７４  ハンドル、７４ａ  ハンドル、７５  吸引管、７５ａ  吸引管、７６  接続部、Ｄ  幅、Ｄａ  幅、Ｇ  床面、Ｈ  隙間、Ｈａ  吸込溝の高さ、Ｔａ  側壁部の厚さ、Ｐ  パイル
【図１】
2015070949.tif 000004
【図２】
2015070949.tif 000005
【図３】
2015070949.tif 000006
【図４】
2015070949.tif 000007
【図５】
2015070949.tif 000008
【図６】
2015070949.tif 000009
【図７】
2015070949.tif 000010
【図８】
2015070949.tif 000011
【図９】
2015070949.tif 000012
【図１０】
2015070949.tif 000013